(57)【要約】  無線基地局に在圏して無線基地局と通信端末との通信を中継する中継装置と無線基地局との通信接続が切断されることによって、通信端末の通信を転送できなくなる事態の発生を抑制可能な技術を提供することが望ましい。無線基地局であって、無線通信装置と通信接続を確立する接続確立部と、無線通信装置が、無線基地局と通信端末との通信を中継する中継機能を有する無線中継装置である場合、無線通信装置と通信しない時間が第１の時間を経過しても、無線通信装置との接続を解放せず、無線通信装置が無線中継装置でない場合、無線通信装置と通信しない時間が第１の時間を経過したことに応じて、無線通信装置との接続を解放するよう制御する接続制御部とを備える無線基地局を提供する。
2020245960.tif 000002
【特許請求の範囲】
【請求項１】
無線基地局であって、
無線通信装置と通信接続を確立する接続確立部と、
前記無線通信装置が、前記無線基地局と通信端末との通信を中継する中継機能を有する無線中継装置である場合、前記無線通信装置と通信しない時間が第１の時間を経過しても、前記無線通信装置との接続を解放せず、前記無線通信装置が前記無線中継装置でない場合、前記無線基地局と前記無線通信装置とが通信しない時間が前記第１の時間を経過したことに応じて、前記無線通信装置との接続を解放するよう制御する接続制御部と
を備える無線基地局。
【請求項２】
前記接続制御部は、前記無線通信装置が、前記無線中継装置であり、かつ、前記無線通信装置と無線通信接続を確立している前記通信端末が有る場合、前記無線基地局と前記無線通信装置とが通信しない時間が第１の時間を経過しても、前記無線通信装置との接続を解放しない、請求項１に記載の無線基地局。
【請求項３】
前記接続制御部は、前記無線通信装置が前記無線中継装置である場合、前記無線基地局と前記無線通信装置とが通信しない時間と比較するタイマ値を、無限長に設定する、請求項１に記載の無線基地局。
【請求項４】
前記接続制御部は、前記無線通信装置が前記無線中継装置である場合、前記無線基地局と前記無線通信装置とが通信しない時間と比較するタイマ値を、前記第１の時間よりも長い第２の時間に設定する、請求項１に記載の無線基地局。
【請求項５】
前記無線通信装置が前記無線中継装置である場合に、前記無線通信装置と無線通信接続を確立している前記通信端末の数を取得する端末数取得部
を備え、
前記接続制御部は、前記タイマ値を、前記通信端末の数が多いほど長い値に設定する、請求項４に記載の無線基地局。
【請求項６】
前記端末数取得部は、前記無線通信装置と無線通信接続を確立している前記通信端末の数が変化した場合に、変化後の前記通信端末の数を取得する、請求項５に記載の無線基地局。
【請求項７】
前記無線通信装置が前記無線中継装置である場合に、前記無線通信装置と無線通信接続を確立している前記通信端末が有るか否かを判定する端末判定部
を備え、
前記接続制御部は、前記無線通信装置が前記無線中継装置であり、かつ、前記無線通信装置と無線通信接続を確立している前記通信端末が有る場合、前記無線通信装置と通信しない時間が前記第１の時間を経過しても、前記無線通信装置との接続を解放せず、前記無線通信装置が前記無線中継装置であり、かつ、前記無線通信装置と無線通信接続を確立している前記通信端末が無い場合、前記無線通信装置と通信しない時間が前記第１の時間を経過したことに応じて、前記無線通信装置との接続を解放するよう制御する、請求項１から６のいずれか一項に記載の無線基地局。
【請求項８】
前記無線通信装置が前記無線中継装置である場合に、前記無線通信装置と無線通信接続を確立している前記通信端末の種類を取得する端末種類取得部
を備え、
前記接続制御部は、前記無線通信装置が前記無線中継装置であり、かつ、前記通信端末の種類が所定の種類である場合、前記無線通信装置と通信しない時間が前記第１の時間を経過しても、前記無線通信装置との接続を解放せず、前記無線通信装置が前記無線中継装置であり、かつ、前記通信端末の種類が前記所定の種類でない場合、前記無線通信装置と通信しない時間が前記第１の時間を経過したことに応じて、前記無線通信装置との接続を解放するよう制御する、請求項１から７のいずれか一項に記載の無線基地局。
【請求項９】
前記無線通信装置が前記無線中継装置である場合に、前記無線通信装置と無線通信接続を確立している前記通信端末の動作状態を取得する端末状態取得部
を備え、
前記接続制御部は、前記無線通信装置が前記無線中継装置であり、かつ、前記通信端末の動作状態が所定の状態である場合、前記無線通信装置と通信しない時間が前記第１の時間を経過しても、前記無線通信装置との接続を解放せず、前記無線通信装置が前記無線中継装置であり、かつ、前記通信端末の動作状態が前記所定の状態でない場合、前記無線通信装置と通信しない時間が前記第１の時間を経過したことに応じて、前記無線通信装置との接続を解放するよう制御する、請求項１から８のいずれか一項に記載の無線基地局。
【請求項１０】
前記無線通信装置が前記無線中継装置である場合に、前記無線通信装置の動作状態を取得する装置状態取得部
を備え、
前記接続制御部は、前記無線通信装置が前記無線中継装置であり、かつ、前記無線通信装置の動作状態が所定の状態である場合、前記無線通信装置と通信しない時間が前記第１の時間を経過しても、前記無線通信装置との接続を解放せず、前記無線通信装置が前記無線中継装置であり、かつ、前記無線通信装置の動作状態が前記所定の状態でない場合、前記無線通信装置と通信しない時間が前記第１の時間を経過したことに応じて、前記無線通信装置との接続を解放するよう制御する、請求項１から９のいずれか一項に記載の無線基地局。
【請求項１１】
前記接続制御部は、前記無線通信装置から受信した接続要求に、前記無線通信装置が前記無線中継装置であることを示す情報が含まれている場合、前記無線通信装置が前記無線中継装置であると判定し、含まれていない場合、前記無線通信装置が前記無線中継装置でないと判定する、請求項１から１０のいずれか一項に記載の無線基地局。
【請求項１２】
前記接続制御部は、前記無線通信装置から受信した、前記無線通信装置が受信している電波の測定報告に、前記無線通信装置が前記無線中継装置であることを示す情報が含まれている場合、前記無線通信装置が前記無線中継装置であると判定し、含まれていない場合、前記無線通信装置が前記無線中継装置でないと判定する、請求項１から１１のいずれか一項に記載の無線基地局。
【請求項１３】
請求項１から１２のいずれか一項に記載の無線基地局と、
前記無線通信装置と
を備え、
前記無線通信装置は、無線中継装置であり、
前記無線通信装置は、
前記無線通信装置と無線通信接続を確立している前記通信端末と前記無線基地局との通信を中継する通信中継部と、
前記通信端末と前記無線基地局との通信の中継をしない時間が前記第１の時間より短い第２の時間を経過した場合に、前記通信端末からデータを受信していない場合であっても、前記無線基地局に対してデータを送信するデータ送信部と
を有する、通信システム。
【請求項１４】
前記データ送信部は、前記無線基地局の上位レイヤを宛先とする前記データを前記無線基地局に対して送信する、請求項１３に記載の通信システム。
【請求項１５】
コンピュータを、請求項１から１２のいずれか一項に記載の無線基地局として機能させるためのプログラム。
【請求項１６】
無線基地局によって実行される制御方法であって、
無線通信装置と通信接続を確立する接続確立段階と、
前記無線通信装置が、前記無線基地局と通信端末との通信を中継する中継機能を有する無線中継装置である場合、前記無線通信装置と通信しない時間が第１の時間を経過しても、前記無線通信装置との接続を解放せず、前記無線通信装置が前記無線中継装置でない場合、前記無線通信装置と通信しない時間が前記第１の時間を経過したことに応じて、前記無線通信装置との接続を解放するよう制御する接続制御段階と
を備える制御方法。
【請求項１７】
無線基地局との無線通信接続を確立する基地局接続確立部と、
通信端末との無線通信接続を確立する端末接続確立部と、
前記通信端末と前記無線基地局との通信を中継する通信中継部と、
前記通信端末と前記無線基地局との通信を中継しない時間が第１の時間を経過した場合に、前記通信端末からデータを受信していない場合であっても、前記無線基地局に対してデータを送信するデータ送信部と
を備える無線通信装置。
【請求項１８】
前記データ送信部は、前記無線基地局の上位レイヤを宛先とする前記データを前記無線基地局に対して送信する、請求項１７に記載の無線通信装置。
【請求項１９】
コンピュータを、請求項１７又は１８に記載の無線通信装置として機能させるためのプログラム。
【請求項２０】
無線通信装置によって実行される制御方法であって、
無線基地局との無線通信接続を確立する基地局接続確立段階と、
通信端末との無線通信接続を確立する端末接続確立段階と、
前記通信端末と前記無線基地局との通信を中継する通信中継段階と、
前記通信端末と前記無線基地局との通信を中継しない時間が第１の時間を経過した場合に、前記通信端末からデータを受信していない場合であっても、前記無線基地局に対してデータを送信するデータ送信段階と
を備える制御方法。
【発明の詳細な説明】
【技術分野】
【０００１】
本発明は、無線基地局、通信システム、プログラム、制御方法、及び無線通信装置に関する。
【背景技術】
【０００２】
基地局として機能する移動可能な中継装置が知られていた（例えば、特許文献１参照）。
［先行技術文献］
［特許文献］
［特許文献１］特開２０１１−０２９９８８号公報
【解決しようとする課題】
【０００３】
無線基地局に在圏して無線基地局と通信端末との通信を中継する中継装置と無線基地局との通信接続が切断されることによって、通信端末の通信を転送できなくなる事態の発生を抑制可能な技術を提供することが望ましい。
【一般的開示】
【０００４】
本発明の第１の態様によれば、無線基地局が提供される。無線基地局は、無線通信装置と通信接続を確立する接続確立部を備えてよい。無線基地局は、無線通信装置が、無線基地局と通信端末との通信を中継する中継機能を有する無線中継装置である場合、無線通信装置と通信しない時間が第１の時間を経過しても、無線通信装置との接続を解放せず、無線通信装置が無線中継装置でない場合、無線通信装置と通信しない時間が前記第１の時間を経過したことに応じて、無線通信装置との接続を解放するよう制御する接続制御部を備えてよい。
【０００５】
上記接続制御部は、上記無線通信装置が、上記無線中継装置であり、かつ、上記無線通信装置と無線通信接続を確立している上記通信端末が有る場合、上記無線通信装置と通信しない時間が第１の時間を経過しても、上記無線通信装置との接続を解放しなくてよい。上記接続制御部は、上記無線通信装置が上記無線中継装置である場合、上記無線通信装置と通信しない時間と比較するタイマ値を無限長に設定してよい。上記接続制御部は、上記無線通信装置が上記無線中継装置である場合、上記無線通信装置と通信しない時間と比較するタイマ値を、上記第１の値よりも長い第２の値に設定してよい。上記制御装置は、上記無線通信装置が上記無線中継装置である場合に、上記無線通信装置と無線通信接続を確立している上記通信端末の数を取得する端末数取得部を備えてよく、上記接続制御部は、上記タイマ値を、上記通信端末の数が多いほど長い値に設定してよい。上記端末数取得部は、上記無線通信装置と無線通信接続を確立している上記通信端末の数が変化した場合に、変化後の上記通信端末の数を取得してよい。
【０００６】
上記無線基地局は、上記無線通信装置が上記無線中継装置である場合に、上記無線通信装置と無線通信接続を確立している上記通信端末が有るか否かを判定する端末判定部を備えてよく、上記接続制御部は、上記無線通信装置が上記無線中継装置であり、かつ、上記無線通信装置と無線通信接続を確立している上記通信端末が有る場合、上記無線通信装置と通信しない時間が上記第１の時間を経過しても、上記無線通信装置との接続を解放せず、上記無線通信装置が上記無線中継装置であり、かつ、上記無線通信装置と無線通信接続を確立している上記通信端末が無い場合、上記無線通信装置と通信しない時間が上記第１の時間を経過したことに応じて、上記無線通信装置との接続を解放するよう制御してよい。上記無線基地局は、上記無線通信装置が上記無線中継装置である場合に、上記無線通信装置と無線通信接続を確立している上記通信端末の種類を取得する端末種類取得部を備えてよく、上記接続制御部は、上記無線通信装置が上記無線中継装置であり、かつ、上記通信端末の種類が所定の種類である場合、上記無線通信装置と通信しない時間が上記第１の時間を経過しても、上記無線通信装置との接続を解放せず、上記無線通信装置が上記無線中継装置であり、かつ、上記通信端末の種類が上記所定の種類でない場合、上記無線通信装置と通信しない時間が上記第１の時間を経過したことに応じて、上記無線通信装置との接続を解放するよう制御してよい。
【０００７】
上記無線基地局は、上記無線通信装置が上記無線中継装置である場合に、上記無線通信装置と無線通信接続を確立している上記通信端末の動作状態を取得する端末状態取得部を備えてよく、上記接続制御部は、上記無線通信装置が上記無線中継装置であり、かつ、上記通信端末の動作状態が所定の状態である場合、上記無線通信装置と通信しない時間が上記第１の時間を経過しても、上記無線通信装置との接続を解放せず、上記無線通信装置が上記無線中継装置であり、かつ、上記通信端末の動作状態が上記所定の状態でない場合、上記無線通信装置と通信しない時間が上記第１の時間を経過したことに応じて、上記無線通信装置との接続を解放するよう制御してよい。上記無線基地局は、上記無線通信装置が上記無線中継装置である場合に、上記無線通信装置の動作状態を取得する装置状態取得部を備えてよく、上記接続制御部は、上記無線通信装置が上記無線中継装置であり、かつ、上記無線通信装置の動作状態が所定の状態である場合、上記無線通信装置と通信しない時間が上記第１の時間を経過しても、上記無線通信装置との接続を解放せず、上記無線通信装置が上記無線中継装置であり、かつ、上記無線通信装置の動作状態が上記所定の状態でない場合、上記無線通信装置と通信しない時間が上記第１の時間を経過したことに応じて、上記無線通信装置との接続を解放するよう制御してよい。
【０００８】
上記接続制御部は、上記無線通信装置から受信した接続要求に、上記無線通信装置が上記無線中継装置であることを示す情報が含まれている場合、上記無線通信装置が上記無線中継装置であると判定し、含まれていない場合、上記無線通信装置が上記無線中継装置でないと判定してよい。上記接続制御部は、上記無線通信装置から受信した、上記無線通信装置が受信している電波の測定報告に、上記無線通信装置が上記無線中継装置であることを示す情報が含まれている場合、上記無線通信装置が上記無線中継装置であると判定し、含まれていない場合、上記無線通信装置が上記無線中継装置でないと判定してよい。
【０００９】
本発明の第２の態様によれば、上記無線基地局と、上記無線通信装置とを備え、上記無線通信装置は、無線中継装置であり、上記無線通信装置は、上記無線通信装置と無線通信接続を確立している上記通信端末と上記無線基地局との通信を中継する通信中継部と、上記通信端末と上記無線基地局との通信の中継をしない時間が上記第１の時間より短い第２の時間を経過した場合に、上記通信端末からデータを受信していない場合であっても、上記無線基地局に対してデータを送信するデータ送信部とを有する、通信システムが提供される。データ送信部は、無線基地局の上位レイヤを宛先とするデータを無線基地局に対して送信してよい。
【００１０】
本発明の第３の態様によれば、コンピュータを、上記無線基地局として機能させるためのプログラムが提供される。
【００１１】
本発明の第４の態様によれば、無線基地局によって実行される制御方法が提供される。制御方法は、無線通信装置と通信接続を確立する接続確立段階を備えてよい。制御方法は、無線通信装置が、無線基地局と通信端末との通信を中継する中継機能を有する無線中継装置でない場合、無線通信装置と通信しない時間が第１の時間を経過したことに応じて、無線通信装置との接続を解放するよう制御し、無線通信装置が無線中継装置である場合、無線通信装置と通信しない時間が第１の時間を経過しても、無線通信装置との接続を解放しない接続制御段階を備えてよい。
【００１２】
本発明の第５の態様によれば、無線通信装置が提供される。無線通信装置は、無線基地局との無線通信接続を確立する基地局接続確立部を備えてよい。無線通信装置は、通信端末との無線通信接続を確立する端末接続確立部を備えてよい。無線通信装置は、通信端末と無線基地局との通信を中継する通信中継部を備えてよい。無線通信装置は、通信端末と無線基地局との通信を中継しない時間が第１の時間を経過した場合に、通信端末からデータを受信していない場合であっても、無線基地局に対してデータを送信するデータ送信部を備えてよい。データ送信部は、無線基地局の上位レイヤを宛先とするデータを無線基地局に対して送信してよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】通信システム１０の一例を概略的に示す。
【図２】無線基地局１００と、通信端末３００及び車両２００のそれぞれとの間の処理の流れの一例を概略的に示す。
【図３】車両２００及び無線基地局１００による処理の流れの一例を概略的に示す。
【図４】無線基地局１００の機能構成の一例を概略的に示す。
【図５】車両２００及び無線基地局１００による処理の流れの一例を概略的に示す。
【図６】車両２００及び無線基地局１００による処理の流れの一例を概略的に示す。
【図７】車両２００及び無線基地局１００による処理の流れの一例を概略的に示す。
【図８】車載装置２１０の機能構成の一例を概略的に示す。
【図９】無線基地局１００として機能するコンピュータ１２００のハードウェア構成の一例を概略的に示す。
【発明を実施するための形態】
【００１５】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１６】
図１は、通信システム１０の一例を概略的に示す。通信システム１０は、無線基地局１００及び車両２００を備える。本実施形態に係る車両２００は、無線基地局１００のセル１０２に在圏して、無線基地局１００と通信端末３００との通信を中継する中継機能を有する。車両２００が無線基地局１００のセル１０２に在圏しているとは、車両２００がセル１０２内に位置して無線基地局１００と無線通信接続を確立していることであってよい。車両２００は、無線中継装置の一例であってよい。
【００１７】
無線基地局１００は、任意の移動体通信方式に準拠していてよい。無線基地局１００は、例えば、３Ｇ（３ｒｄ  Ｇｅｎｅｒａｔｉｏｎ）通信方式に準拠する。無線基地局１００は、例えば、ＬＴＥ（Ｌｏｎｇ  Ｔｅｒｍ  Ｅｖｏｌｕｔｉｏｎ）通信方式に準拠する。無線基地局１００は、ｅＮＢ（ｅＮｏｄｅＢ）であってよい。また、無線基地局１００は、例えば、５Ｇ（５ｔｈ  Ｇｅｎｅｒａｔｉｏｎ）通信方式に準拠する。無線基地局１００は、ｇＮＢ（ｇＮｏｄｅＢ）であってよい。無線基地局１００は、６Ｇ（６ｔｈ  Ｇｅｎｅｒａｔｉｏｎ）通信方式以降の移動体通信方式に準拠してもよい。ここでは、無線基地局１００がＬＴＥ通信方式に準拠している場合を主に例に挙げて説明する。
【００１８】
無線基地局１００は、ネットワーク２０に接続されている。ネットワーク２０は、移動体通信ネットワークを含む。ネットワーク２０は、インターネットを含んでもよい。
【００１９】
車両２００は、自動車であってよい。車両２００は、無線通信機能を有していれば、どのような種類の自動車であってもよい。車両２００は、例えば、ガソリン車であってよく、また、いわゆるエコカーであってもよい。エコカーの種類としては、ＨＶ（Ｈｙｂｒｉｄ  Ｖｅｈｉｃｌｅ）、ＰＨＥＶ／ＰＨＶ（Ｐｌｕｇ−ｉｎ  Ｈｙｂｒｉｄ  Ｖｅｈｉｃｌｅ）、ＥＶ（Ｅｌｅｃｔｒｉｃ  Ｖｅｈｉｃｌｅ）、及びＦＣＶ（Ｆｕｅｌ  Ｃｅｌｌ  Ｖｅｈｉｃｌｅ）等が挙げられる。車両２００は、どのような用途の自動車であってもよい。車両２００は、例えば、自家用車であってよく、また、タクシー及びバス等の事業用の車両であってもよい。
【００２０】
通信端末３００は、例えば、スマートフォン等の携帯電話、タブレット端末、ウェアラブル端末、及びＰＣ（Ｐｅｒｓｏｎａｌ  Ｃｏｍｐｕｔｅｒ）等である。また、通信端末３００は、ＩｏＴ（Ｉｎｔｅｒｎｅｔ  ｏｆ  Ｔｈｉｎｇ）端末であってもよい。
【００２１】
車両２００は、例えば、無線通信エリア２０２を生成して、無線通信エリア２０２に在圏している通信端末３００との間で無線通信を実行する。通信端末３００が無線通信エリア２０２に在圏しているとは、通信端末３００が無線通信エリア２０２内に位置して車両２００と無線通信接続を確立していることであってよい。なお、通信端末３００が車両２００によって生成されている無線通信エリア２０２に在圏していることを、通信端末３００が車両２００に在圏していると記載する場合がある。
【００２２】
車両２００と通信端末３００との無線通信の通信方式は、セルラ通信方式であってよい。すなわち、車両２００は、移動基地局であってよい。また、車両２００と通信端末３００との無線通信の通信方式は、ＷｉＦｉ通信方式であってもよい。すなわち、車両２００は、移動可能な無線アクセスポイントであってよい。
【００２３】
本実施形態に係る無線基地局１００は、無線通信装置と無線通信接続を確立した場合であって、当該無線通信装置が中継機能を有する無線中継装置でない場合、無線通信装置と通信しない時間が、予め設定されたタイマ値によって示される第１の時間を経過したことに応じて、無線通信装置との無線通信接続を解放するように制御する。一方、無線基地局１００は、無線通信装置が無線中継装置である場合には、無線通信装置と通信しない時間が第１の時間を経過しても、無線通信装置との無線通信接続を解放しない。
【００２４】
無線基地局１００は、例えば、無線通信接続を確立した無線通信装置が無線中継装置であった場合、タイマ値を、第１の時間よりも長い第２の時間を示すように変更する。これにより、無線通信接続を確立した無線通信装置が無線中継装置である場合、無線中継装置でない場合と比較して、無線通信接続を解放するまでの時間を長くすることができる。
【００２５】
また、無線基地局１００は、例えば、無線通信接続を確立した無線通信装置が無線中継装置であった場合、タイマ値を、無限長に設定する。これにより、無線通信接続を確立した無線通信装置が無線中継装置である場合、通信しない時間が継続したことを理由には、無線通信接続を解放しないようにできる。
【００２６】
従来の無線基地局は、無線通信装置の種類に関わらず、通信しない時間が予め設定されたタイマ値によって示される時間を経過したことに応じて、無線通信装置との無線通信接続を解放するように制御していた。具体的には、従来の無線基地局は、通信しない時間がタイマ値によって示される時間を経過したことに応じて、ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｌｅａｓｅを無線通信装置に送信することによって、無線通信接続を解放させていた。
【００２７】
無線通信装置が無線中継装置である場合、無線通信装置には複数の通信端末３００が在圏し得る。複数の通信端末３００が在圏している状態で、無線中継装置と無線基地局との無線通信接続が解放されてしまうと、複数の通信端末３００のそれぞれからＣプレーンの信号が複数回送信されることになり、無線中継装置の処理負荷が過度に高まってしまう場合がある。また、複数の通信端末３００に通信遅延が発生してしまい、通信端末３００を利用するユーザの体感品質が低下してしまう場合がある。それに対して、本実施形態に係る無線基地局１００によれば、無線通信装置が無線中継装置である場合には、タイマ値が長くされたり、タイマ値が無限長に設定されたりするので、これらの事態の発生を抑制したり、防止したりすることができる。
【００２８】
図２は、無線基地局１００と、通信端末３００及び車両２００のそれぞれとの間の処理の流れの一例を概略的に示す。
【００２９】
ステップ（ステップをＳと省略して記載する場合がある。）１０２では、通信端末３００が、無線基地局１００に対して接続要求を送信する。Ｓ１０４では、通信端末３００と無線基地局１００とが無線通信接続を確立する。
【００３０】
Ｓ１０６では、通信端末３００と無線基地局１００との間でデータ通信が行われる。Ｓ１０８では、通信端末３００と無線基地局１００との間でデータ通信が行われる。Ｓ１１０では、無線基地局１００と通信端末３００とが通信しない時間が、タイマ値によって示される時間を経過したことに応じて、無線基地局１００が、接続解放を通信端末３００に送信する。これにより、通信端末３００と無線基地局１００との無線通信接続は解放される。
【００３１】
Ｓ１１２では、車両２００が、自身が中継機能を有することを示す情報を含む接続要求を無線基地局１００に送信する。Ｓ１１４では、無線基地局１００が、車両２００に対するタイマ値を無限長または比較的長い期間に設定する。比較的長い期間とは１２０分程度の時間であるが、これに限らず３０分以上であってもよい。Ｓ１１６では、車両２００と無線基地局１００とが無線通信接続を確立する。
【００３２】
Ｓ１１８では、車両２００と無線基地局１００との間でデータ通信が行われる。Ｓ１２０では、車両２００と無線基地局１００との間でデータ通信が行われる。Ｓ１２２では、Ｓ１２０において車両２００と無線基地局１００とがデータ通信を行ってから、比較的長い時間が経過した後に、車両２００と無線基地局１００との間でデータ通信が行われる。Ｓ１２４では、車両２００と無線基地局１００との間でデータ通信が行われる。
【００３３】
このように、無線基地局１００と無線通信接続を確立する無線通信装置が、中継機能を有する車両２００である場合に、タイマ値を無限長に設定することによって、データ通信を行わない時間が所定の時間を経過したことを条件には、無線通信接続の解放を行わないようにすることができる。これにより、複数の通信端末３００のそれぞれからＣプレーンの信号が複数回送信されることによって車両２００の処理負荷が過度に高まってしまったり、複数の通信端末３００に通信遅延が発生してしまったりすることを防止できる。
【００３４】
図２では、車両２００が、自身が中継機能を有することを示す情報を接続要求に含める例を示したが、これに限らない。車両２００は、中継機能のオンオフが可能であって、中継機能をオンにする場合に、その旨を無線基地局１００に通知してもよい。
【００３５】
図３は、車両２００及び無線基地局１００による処理の流れの一例を概略的に示す。ここでは、車両２００の中継機能がオフである状態を開始状態として説明する。
【００３６】
Ｓ２０２では、車両２００が、無線基地局１００に対して接続要求を送信する。Ｓ２０４では、車両２００と無線基地局１００とが無線通信接続を確立する。
【００３７】
Ｓ２０６では、車両２００が、中継機能をオンにする。Ｓ２０８では、車両２００が、中継機能をオンにしたことを無線基地局１００に通知する。車両２００は、任意の方法で、当該通知を行ってよい。例えば、車両２００は、中継機能をオンにしたことを示すメッセージを無線基地局１００に送信する。また、車両２００は、Ｍｅａｓｕｒｅｍｅｎｔ  Ｒｅｐｏｒｔ（ＭＲと記載する場合がある。）に中継機能をオンにしたことを示す情報を含めて、無線基地局１００に送信してもよい。Ｓ２１０では、無線基地局１００が、車両２００に対するタイマ値を無限長に設定する。
【００３８】
Ｓ２１２では、車両２００が、中継機能をオフにする。Ｓ２１４では、車両２００が、中継機能をオフにしたことを無線基地局１００に通知する。車両２００は、任意の方法で、当該通知を行ってよい。例えば、車両２００は、中継機能をオフにしたことを示すメッセージを無線基地局１００に送信する。また、車両２００は、ＭＲに中継機能をオフにしたことを示す情報を含めて、無線基地局１００に送信してもよい。Ｓ２１４では、無線基地局１００が、車両２００に対するタイマ値をデフォルトの値に設定する。
【００３９】
図４は、無線基地局１００の機能構成の一例を概略的に示す。無線基地局１００は、接続確立部１１０、タイマ値格納部１１２、接続制御部１１４、及び情報取得部１２０を備える。
【００４０】
接続確立部１１０は、無線通信装置との間で無線通信接続を確立する。接続確立部１１０は、無線通信装置から受信した接続要求に応じて、無縁通信装置と無線通信接続を確立してよい。
【００４１】
タイマ値格納部１１２は、タイマ値を格納する。タイマ値格納部１１２は、接続対象毎のタイマ値を格納してよい。タイマ値は、無線通信接続を確立した無線通信装置との間で通信しない時間と比較するためのものであってよい。
【００４２】
具体例として、タイマ値格納部１１２は、ＲＲＣ  Ｃｏｎｎｅｃｔｉｏｎ  Ｒｅｌｅａｓｅのためのタイマ値を格納する。また、タイマ値格納部１１２は、ＵＥ  Ｃｏｎｔｅｘｔ  Ｒｅｌｅａｓｅのためのタイマ値を格納してよい。また、タイマ値格納部１１２は、ＤＲＸ（Ｄｉｓｃｏｎｔｉｎｕｏｕｓ  Ｒｅｃｅｐｔｉｏｎ）のためのタイマ値を格納してよい。
【００４３】
ＵＥ  Ｃｏｎｔｅｘｔ  Ｒｅｌｅａｓｅのためのタイマ値のデフォルト値として、例えば、１秒間等の任意の値が設定され得る。ＤＲＸのためのタイマ値のデフォルト値として、例えば、５秒間等の、ＵＥ  Ｃｏｎｔｅｘｔ  Ｒｅｌｅａｓｅのためのタイマ値よりも長い任意の値が設定され得る。ＲＲＣ  Ｃｏｎｎｅｃｔｉｏｎ  Ｒｅｌｅａｓｅのためのタイマ値のデフォルト値として、例えば、ＤＲＸのためのタイマ値よりも長い１０秒間等の任意の値が設定され得る。
【００４４】
接続制御部１１４は、接続確立部１１０によって無線通信装置との間で確立された無線通信接続に関する制御を行う。接続制御部１１４は、無線基地局１００と無線通信装置とが通信しない時間（無通信時間と記載する場合がある。）が、タイマ値格納部１１２に格納されているタイマ値によって示される時間を経過したことに応じて、無線通信接続を解放する制御を行う。
【００４５】
接続制御部１１４は、例えば、無通信時間がＵＥ  Ｃｏｎｔｅｘｔ  Ｒｅｌｅａｓｅのためのタイマ値によって示される時間を経過した場合に、ＵＥ  Ｃｏｎｔｅｘｔ  Ｒｅｌｅａｓｅ  ＲｅｑｕｅｓｔをＭＭＥ（Ｍｏｂｉｌｉｔｙ  Ｍａｎａｇｅｍｅｎｔ  Ｅｎｔｉｔｙ）に送信する。また、接続制御部１１４は、例えば、無通信時間がＤＲＸのためのタイマ値によって示される時間を経過した場合に、無線通信装置をｎｏｎ  Ａｃｔｉｖｅ  Ｔｉｍｅに移行させる。また、接続制御部１１４は、例えば、無通信時間がＲＲＣ  Ｃｏｎｎｅｃｔｉｏｎ  Ｒｅｌｅａｓｅのためのタイマ値によって示される時間を経過したことに応じて、ＲＲＣ  Ｃｏｎｎｅｃｔｉｏｎ  Ｒｅｌｅａｓｅを無線通信装置に送信する。
【００４６】
情報取得部１２０は、各種情報を取得する。接続制御部１１４は、情報取得部１２０によって取得された情報に基づいて、接続確立部１１０によって無線通信装置との間で確立された無線通信接続に関する制御を行ってよい。例えば、接続制御部１１４は、情報取得部１２０によって取得された情報に基づいて、タイマ値格納部１１２に格納されているタイマ値を変更する。接続制御部１１４は、例えば、情報取得部１２０によって取得された情報に基づいて、タイマ値の長さを長くする。具体例として、接続制御部１１４は、ＵＥ  Ｃｏｎｔｅｘｔ  Ｒｅｌｅａｓｅのためのタイマ値を、１秒間から１０秒間に変更し、ＤＲＸのためのタイマ値を５秒間から５０秒間に変更し、ＵＥ  Ｃｏｎｔｅｘｔ  Ｒｅｌｅａｓｅのためのタイマ値を１０秒間から１００秒間に変更する。変更する長さは任意の長さであってよい。
【００４７】
情報取得部１２０は、端末数取得部１２１、端末判定部１２２、端末種類取得部１２３、端末情報取得部１２４、及び装置状態取得部１２５を有する。情報取得部１２０がこれらの全ての構成を有することは必須とは限らない。
【００４８】
端末数取得部１２１は、接続確立部１１０によって接続が確立された無線通信装置が無線中継装置である場合に、無線通信装置と無線通信接続を確立している通信端末３００の数を取得する。端末数取得部１２１は、無線通信装置と無線通信接続を確立している通信端末３００の数が変化した場合に、変化後の通信端末３００の数を取得してよい。端末数取得部１２１は、例えば、無線通信装置から、通信端末３００の数の通知を受ける。接続制御部１１４は、タイマ値格納部１１２に格納されているタイマ値を、通信端末３００の数が多いほど長い値に設定してよい。
【００４９】
端末判定部１２２は、接続確立部１１０によって接続が確立された無線通信装置が無線中継装置である場合に、無線通信装置と無線通信接続を確立している通信端末３００が有るか否かを判定する。接続制御部１１４は、無線通信装置が無線中継装置であり、かつ、無線通信装置と無線通信接続を確立している通信端末３００が有る場合、無線通信装置と通信しない時間が第１の時間を経過しても、無線通信装置との接続を解放せず、無線通信装置が無線中継装置であり、かつ、無線通信装置と無線通信接続を確立している通信端末３００が無い場合、無線通信装置と通信しない時間が第１の時間を経過したことに応じて、無線通信装置との接続を解放するよう制御してよい。
【００５０】
端末種類取得部１２３は、接続確立部１１０によって接続が確立された無線通信装置が無線中継装置である場合に、無線通信装置と無線通信接続を確立している通信端末３００の種類を取得する。端末種類取得部１２３、例えば、無線通信装置から、通信端末３００の種類の通知を受ける。接続制御部１１４は、無線通信装置が無線中継装置であり、かつ、通信端末３００の種類が所定の種類である場合、無線通信装置と通信しない時間が第１の時間を経過しても、無線通信装置との接続を解放せず、無線通信装置が無線中継装置であり、かつ、通信端末３００の種類が所定の種類でない場合、無線通信装置と通信しない時間が第１の時間を経過したことに応じて、無線通信装置との接続を解放するよう制御してよい。所定の種類とは、スマートフォン等と比較して、通信が途絶えることの悪影響がより大きいものとして登録された種類であってよい。当該所定の種類として、例えば、通信によって制御される自動運転車や、通信によって制御される遠隔医療機器等が挙げられる。
【００５１】
端末情報取得部１２４は、接続確立部１１０によって接続が確立された無線通信装置が無線中継装置である場合に、無線通信装置と無線通信接続を確立している通信端末３００の動作状態を取得する。端末情報取得部１２４は、例えば、車両２００から、通信端末３００の動作状態の通知を受ける。接続制御部１１４は、無線通信装置が無線中継装置であり、かつ、通信端末３００の動作状態が所定の状態である場合、無線通信装置と通信しない時間が第１の時間を経過しても、無線通信装置との接続を解放せず、無線通信装置が無線中継装置であり、かつ、通信端末３００の動作状態が前記所定の状態でない場合、無線通信装置と通信しない時間が第１の時間を経過したことに応じて、無線通信装置との接続を解放するよう制御してよい。所定の状態とは、スマートフォン等によるデータ通信と比較して、通信が途絶えることの悪影響がより大きいものとして登録された状態であってよい。当該所定の状態の例として、自動運転車が自動運転されている状態や、遠隔医療機器が遠隔制御されている状態等が挙げられる。
【００５２】
装置状態取得部１２５は、接続確立部１１０によって接続が確立された無線通信装置が無線中継装置である場合に、無線通信装置の動作状態を取得する。装置状態取得部１２５は、例えば、無線通信装置から無線通信装置の動作状態の通知を受ける。接続制御部１１４は、無線通信装置が無線中継装置であり、かつ、無線通信装置の動作状態が所定の状態である場合、無線通信装置と通信しない時間が第１の時間を経過しても、無線通信装置との接続を解放せず、無線通信装置が無線中継装置であり、かつ、無線通信装置の動作状態が所定の状態でない場合、無線通信装置と通信しない時間が第１の時間を経過したことに応じて、無線通信装置との接続を解放するよう制御してよい。所定の状態とは、無線通信装置が、中継機能を実行する上で望ましい状態として登録された状態であってよい。当該所定の状態の例として、無線通信装置が車両２００である場合において、車両２００が停止している状態が挙げられる。また、当該所定の状態の例として、無線通信装置がバッテリを搭載している車両２００である場合において、車両２００が充電中である状態が挙げられる。
【００５３】
接続制御部１１４は、無線通信装置から受信した接続要求に、無線通信装置が無線中継装置であることを示す情報が含まれている場合、無線通信装置が無線中継装置であると判定し、含まれていない場合、無線通信装置が無線中継装置でないと判定してよい。また、接続制御部１１４は、無線通信装置から受信した、無線通信装置が受信している電波の測定報告に、無線通信装置が無線中継装置であることを示す情報が含まれている場合、無線通信装置が無線中継装置であると判定し、含まれていない場合、無線通信装置が無線中継装置でないと判定してよい。
【００５４】
図５は、車両２００及び無線基地局１００による処理の流れの一例を概略的に示す。ここでは、ＲＲＣに従ったメッセージによって車両２００と無線基地局１００とが通信する場合を例に挙げて説明するが、車両２００及び無線基地局１００は、ＲＲＣ以外の規格に従ったメッセージによって通信してもよい。
【００５５】
Ｓ３０２では、車両２００が、車両２００が中継機能を有することを示す「Ｒｅｌａｙ」を含むＲＲＣ  Ｃｏｎｎｅｃｔｉｏｎ  Ｒｅｑｕｅｓｔを無線基地局１００に送信する。Ｓ３０４では、無線基地局１００が、「Ｒｅｌａｙ」を含むＲＲＣ  Ｃｏｎｎｅｃｔｉｏｎ  Ｒｅｑｕｅｓｔを受信したことに応じて、送信元の車両２００に対するタイマ値を無限長に設定する。
【００５６】
Ｓ３０６では、無線基地局１００が、ＲＲＣ  Ｃｏｎｎｅｃｔｉｏｎ  Ｓｅｔｕｐを車両２００に送信する。Ｓ３０８では、車両２００が、ＲＲＣ  Ｃｏｎｎｅｃｔｉｏｎ  Ｓｅｔｕｐ  Ｃｏｍｐｌｅｔｅを無線基地局１００に送信する。当該処理によって、車両２００と無線基地局１００との無線通信接続が確立する。
【００５７】
図６は、車両２００及び無線基地局１００による処理の流れの一例を概略的に示す。ここでも、ＲＲＣに従ったメッセージによって車両２００と無線基地局１００とが通信する場合を例に挙げて説明するが、車両２００及び無線基地局１００は、ＲＲＣ以外の規格に従ったメッセージによって通信してもよい。
【００５８】
Ｓ４０２では、車両２００が、ＲＲＣ  Ｃｏｎｎｅｃｔｉｏｎ  Ｒｅｑｕｅｓｔを無線基地局１００に送信する。Ｓ４０４では、無線基地局１００が、ＲＲＣ  Ｃｏｎｎｅｃｔｉｏｎ  Ｓｅｔｕｐを車両２００に送信する。Ｓ４０６では、車両２００が、ＲＲＣ  Ｃｏｎｎｅｃｔｉｏｎ  Ｓｅｔｕｐ  Ｃｏｍｐｌｅｔｅを無線基地局１００に送信する。当該処理によって、車両２００と無線基地局１００との無線通信接続が確立する。
【００５９】
Ｓ４０８では、車両２００が中継機能をオンにする。車両２００には、１又は複数の通信端末３００が在圏する。Ｓ４１０では、車両２００が、Ｍｅａｓｕｒｅｍｅｎｔ  Ｒｅｐｏｒｔに、中継機能がオンになったことを示す「Ｒｅｌａｙ  ＯＮ」と、車両２００に在圏している通信端末３００の数を示す「Ｎ」とを含めて、無線基地局１００に送信する。
【００６０】
Ｓ４１２では、無線基地局１００が、Ｓ４１０において受信したＭｅａｓｕｒｅｍｅｎｔ  Ｒｅｐｏｒｔに「Ｒｅｌａｙ  ＯＮ」が含まれていることに応じて、車両２００に対応するタイマ値を変更する。無線基地局１００は、車両２００に在圏している通信端末３００の数を示す「Ｎ」の数が多いほど、より長い時間を示すようにタイマ値を変更してよい。
【００６１】
Ｓ４１４では、車両２００が、中継機能をオフにする。Ｓ４１６では、車両２００が、Ｍｅａｓｕｒｅｍｅｎｔ  Ｒｅｐｏｒｔに、中継機能がオフになったことを示す「Ｒｅｌａｙ  ＥＮＤ」を含めて、無線基地局１００に送信する。Ｓ４１８では、無線基地局１００が、Ｓ４１６において、「Ｒｅｌａｙ  ＥＮＤ」を含むＭｅａｓｕｒｅｍｅｎｔ  Ｒｅｐｏｒｔを受信したことに応じて、車両２００に対応するタイマ値を変更する。無線基地局１００は、車両２００に対応するタイマ値を、デフォルト値に変更してよい。
【００６２】
上記実施形態では、無線基地局１００が、無線中継装置である無線通信装置に対するタイマ値を長くしたり、無限長にしたりすることによって、無線基地局１００と無線通信装置との無線通信接続が解放されにくくしたり、解放されないようにする例を挙げて説明した。しかし、これに限らず、無線中継装置である無線通信装置が、無線基地局１００と無線通信装置との無線通信接続が解放されにくくしたり、解放されないようにするための処理を実行してもよい。
【００６３】
図７は、車両２００及び無線基地局１００による処理の流れの一例を概略的に示す。Ｓ５０２では、車両２００が、無線基地局１００に対して接続要求を送信する。Ｓ５０４では、車両２００と無線基地局１００とが無線通信接続を確立する。Ｓ５０６では、車両２００が、中継機能をオンにする。
【００６４】
Ｓ５０８では、通信端末３００が、車両２００に対して接続要求を送信する。Ｓ５１０では、通信端末３００と車両２００とが無線通信接続を確立する。Ｓ５１２及びＳ５１４では、通信端末３００が、車両２００を介して無線基地局１００とデータ通信を行う。
【００６５】
Ｓ５１６では、車両２００が、Ｓ５１４において、データの中継を行った後、通信端末３００からも無線基地局１００からも何もデータを受信しないまま所定時間が経過したことに応じて、無線基地局１００に対してダミーデータを送信する。Ｓ５１８では、車両２００が、Ｓ５１６において無線基地局１００に対してダミーデータを送信した後、通信端末３００からも無線基地局１００からも何もデータを受信しないまま所定時間が経過したことに応じて、無線基地局１００に対してダミーデータを送信する。Ｓ５２０及びＳ５２２では、通信端末３００が、車両２００を介して無線基地局１００とデータ通信を行う。
【００６６】
図７に示したように、車両２００が、通信端末３００と無線基地局１００との通信を中継しない時間が所定時間を経過した場合に、無線基地局１００に対してダミーデータを送信することによって、無線基地局１００と車両２００とが通信しない時間がタイマ値によって示される時間を経過したことによって無線基地局１００が接続を解放してしまうことを防止できる。所定時間は、無線基地局１００において設定されているタイマ値よりも短い時間を示すように、任意に設定されてよい。車両２００は、例えば、無線基地局１００と無線通信接続を確立した後で、無線基地局１００と最後に通信を行ってから、無線基地局１００から接続開放を受信するまでの時間を計測して、計測時間よりも短い時間を当該所定時間として設定してもよい。
【００６７】
図８は、車載装置２１０の機能構成の一例を概略的に示す。車載装置２１０は車両２００に搭載されることができる。車載装置２１０は、基地局接続確立部２１２、端末接続確立部２１４、通信中継部２１６、及びデータ送信部２１８を備える。
【００６８】
基地局接続確立部２１２は、無線基地局１００と無線通信接続を確立する。端末接続確立部２１４は、通信端末３００と無線通信接続を確立する。通信中継部２１６は、無線基地局１００と通信端末３００との通信を中継する。
【００６９】
データ送信部２１８は、通信端末３００と無線基地局１００との通信を中継しない時間が第１の時間を経過した場合に、通信端末３００からデータを受信していない場合であっても、無線基地局１００に対してデータを送信する。データ送信部２１８は、ダミーデータを無線基地局１００に対して送信してよい。データ送信部２１８が送信するダミーデータは、無線基地局１００に、無線基地局１００と車両２００とのデータ通信が継続していると判定させることができれば、どのようなデータであってもよい。
【００７０】
データ送信部２１８は、例えば、ダミーデータとして、無線基地局１００の上位レイヤを宛先とするデータを、無線基地局１００に対して送信してよい。データ送信部２１８は、無線基地局１００の上位レイヤに位置する任意の装置を宛先とするデータを無線基地局１００に対して送信してよい。データ送信部２１８は、例えば、ネットワーク２０内の移動体通信ネットワークにおけるコアネットワーク内に配置された任意の装置を宛先とするデータを無線基地局１００に対して送信する。また、データ送信部２１８は、ネットワーク２０内のインターネットに接続されている任意の装置を宛先とするデータを無線基地局１００に対して送信してもよい。
【００７１】
第１の時間は、例えば、車載装置２１０の設計者、及び車両２００の乗員等によって設定され得る。また、第１の時間は、通信中継部２１６によって自動的に設定されてもよい。通信中継部２１６は、例えば、無線基地局１００と無線通信接続を確立した後で、無線基地局１００と最後に通信を行ってから、無線基地局１００から接続開放を受信するまでの時間を計測して、計測時間よりも短い時間を当該第１の時間として設定する。
【００７２】
図９は、無線基地局１００、車載装置２１０、又は通信端末３００として機能するコンピュータ１２００のハードウェア構成の一例を概略的に示す。コンピュータ１２００にインストールされたプログラムは、コンピュータ１２００を、上記実施形態に係る装置の１又は複数の「部」として機能させ、又はコンピュータ１２００に、上記実施形態に係る装置に関連付けられるオペレーション又は当該１又は複数の「部」を実行させることができ、及び／又はコンピュータ１２００に、上記実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００７３】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、及びＩＣカードドライブのような入出力ユニットを含み、それらは入出力コントローラ１２２０を介してホストコントローラ１２１０に接続されている。記憶装置１２２４は、ハードディスクドライブ及びソリッドステートドライブ等であってよい。コンピュータ１２００はまた、ＲＯＭ１２３０及びタッチパネルのようなレガシの入出力ユニットを含み、それらは入出力チップ１２４０を介して入出力コントローラ１２２０に接続されている。
【００７４】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。コンピュータ１２００は、ディスプレイデバイス１２１８を備えていなくてもよく、その場合、グラフィックコントローラ１２１６は、イメージデータが外部のディスプレイデバイスに表示されるようにする。
【００７５】
通信インタフェース１２２２は、無線通信ネットワークを介して他の電子デバイスと通信する。記憶装置１２２４は、コンピュータ１２００内のＣＰＵ１２１２によって使用されるプログラム及びデータを格納する。ＩＣカードドライブは、プログラム及びデータをＩＣカードから読み取り、及び／又はプログラム及びデータをＩＣカードに書き込む。
【００７６】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、ＵＳＢポート等を介して、様々な入出力ユニットを入出力コントローラ１２２０に接続してよい。
【００７７】
プログラムは、ＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００７８】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００７９】
また、ＣＰＵ１２１２は、記憶装置１２２４、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００８０】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００８１】
上で説明したプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００８２】
上記実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００８３】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００８４】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００８５】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、請求の範囲の記載から明らかである。
【００８７】
請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、及び図面中の動作フローに関して、便宜上「まず、」、「次に、」などを用いて説明したとしても、この順で実施することが必須であることを意味するものではない。
【符号の説明】
【００８８】
１０  通信システム、２０  ネットワーク、１００  無線基地局、１０２  セル、１１０  接続確立部、１１２  タイマ値格納部、１１４  接続制御部、１２０  情報取得部、１２１  端末数取得部、１２２  端末判定部、１２３  端末種類取得部、１２４  端末情報取得部、１２５  装置状態取得部、２００  車両、２１０  車載装置、２１２  基地局接続確立部、２１４  端末接続確立部、２１６  通信中継部、２１８  データ送信部、３００  通信端末、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２３０  ＲＯＭ、１２４０  入出力チップ
【図１】
2020245960.tif 000003
【図２】
2020245960.tif 000004
【図３】
2020245960.tif 000005
【図４】
2020245960.tif 000006
【図５】
2020245960.tif 000007
【図６】
2020245960.tif 000008
【図７】
2020245960.tif 000009
【図８】
2020245960.tif 000010
【図９】
2020245960.tif 000011
【国際調査報告】
2020245960.tif 000012
2020245960.tif 000013
2020245960.tif 000014
2020245960.tif 000015
2020245960.tif 000016
2020245960.tif 000017
2020245960.tif 000018
2020245960.tif 000019